(57)【特許請求の範囲】
【請求項１】
予め設定された画像形成条件で原稿画像を用紙に形成し、前記用紙を所定の排出先に排出する試しコピーモードを有する画像形成装置において、
前記試しコピーモードの実行可否の識別情報が設定される状態設定部と、
通常ジョブの開始前とジョブ中断中に前記試しコピーモードの実行を有効とする識別情報を前記状態設定部に設定する制御手段を備え、
前記制御手段は、両面コピーモードのジョブ中断中であって、両面トレイの給排紙がＦＩＬＯでなく、かつ、前記両面トレイ上に用紙があるとき前記試しコピーモードの実行を禁止する識別情報を前記状態設定部に設定することを特徴とする画像形成装置。
【請求項２】
前記制御手段は、前記試しコピーを行うと無地の用紙が排出される場合には、前記試しコピーモードの実行を禁止する識別情報を前記状態設定部に設定することを特徴とする請求項１記載の画像形成装置。
【請求項３】
現在実行中のジョブを中断させるジョブ中断入力手段と、
このジョブ中断入力手段の入力の可否を決定する中断制御手段と、
をさらに備え、前記制御手段は、試しコピー実行中は前記中断制御手段によるジョブ中断入力手段の入力の受け付けを禁止する識別情報を前記状態設定部に設定することを特徴とする請求項１または２記載の画像形成装置。
【発明の詳細な説明】
【０００１】
【発明の属する技術分野】
本発明は、通常のコピーに先立ってコピー条件やその仕上がり状態を目視で確認するための試しコピー機能を有する画像形成装置に関する。
【０００２】
【従来の技術】
試しコピー機能は、複数のコピーを行う前に記録紙上の作像状態を目視で確認するために１枚だけコピーを行う機能である。このような機能によれば、複数のコピー枚数がセットされている場合であってもいきなり連続コピーを行わず、試験的に１枚のみをコピーして所定のトレイに排出するので、ユーザが画像のコピー具合を目視で確認することができ、また、ＯＫの場合には複数のセット枚数のコピーを行うので失敗のないコピーを行うことができる。
【０００３】
従来の方法としては例えば
（１）特開昭５８−１１６２号公報（特公平２−２１４３号公報）
（２）特開昭６３−１１６４１号公報
（３）特開昭６３−２５３９６９号公報
（４）特開平８−８７２０５号公報
（５）特開平８−２４８８３１号公報
に開示された発明が知られている。
【０００４】
上記（１）ではプリントキーと試しキーを有し、試しコピー時には１枚のコピー後の所定時間経過後に連続コピーが開始される。また、コピーセット枚数が「１」の場合には試しコピーは行われず、更にＡＤＦ（原稿自動給紙装置）により複数の原稿を給紙する場合には最初の原稿のみについて試しコピーを行う。上記（２）では１枚のコピーで中断して続行キーで続行する方法が提案されている。また、上記（３）ではプリントキーのみの押下では１枚コピーを行い、プリントキーとマルチコピー確認キーの両方の押下で連続コピーを行う方法が提案されている。
【０００５】
また、上記（４）では、試しコピー機能を拡張して、従来禁止されていた１枚の記録紙に対するステープル禁止処理を試しコピー時には可能にして操作性と作業性を向上させる方法が提案されている。また、上記（５）では、試しコピー実行中にはスタートキーと試しコピーキーの受け付けを禁止して、画像確認を行う前に次のコピーを誤って行うことを防止する方法が提案されている。更に、他の従来例として、試しコピー機能のバリエーションとして片面原稿画像を転写紙の片面にコピーする「片面→片面モード」により試しコピーを行った後に、画像確認後「片面→両面モード」に切り換えてジョブを実行するものも知られている。
【０００６】
【発明が解決しようとする課題】
しかしながら、上記従来の試しコピー機能はいずれも、新規ジョブの通常コピー開始前に行うのみであるので、ユーザがジョブの処理途中に濃度や綴じ代などを変更することができないという問題点がある。そこで、ジョブの途中であっても試しコピー機能を許可する方法が考えられるが、許可すると種々の不具合が発生して正常なコピーを行うことができなくなる。
【０００７】
本発明は、通常のジョブの処理途中であっても試しコピーを行うことができる画像形成装置を提供するを目的とする。
【０００８】
本発明はまた、通常のジョブの処理途中に試しコピーを許可しても正常なコピーを行うことができる画像形成装置を提供することを目的とする。
【０００９】
【課題を解決するための手段】
第１の手段は上記目的を達成するために、予め設定された画像形成条件で原稿画像を用紙に形成し、前記用紙を所定の排出先に排出する試しコピーモードを有する画像形成装置において、前記試しコピーモードの実行可否の識別情報が設定される状態設定部と、通常ジョブの開始前とジョブ中断中に前記試しコピーモードの実行を有効とする識別情報を前記状態設定部に設定する制御手段を備え、前記制御手段は、両面コピーモードのジョブ中断中であって、両面トレイの給排紙がＦＩＬＯでなく、かつ、前記両面トレイ上に用紙があるとき前記試しコピーモードの実行を禁止する識別情報を前記状態設定部に設定することを特徴とする。
【００１０】
第２の手段は、第１の手段において、前記制御手段は、前記試しコピーを行うと無地の用紙が排出される場合には、前記試しコピーモードの実行を禁止する識別情報を前記状態設定部に設定することを特徴とする。
【００１２】
第３の手段は、第１又は第２の手段において、現在実行中のジョブを中断させるジョブ中断入力手段と、このジョブ中断入力手段の入力の可否を決定する中断制御手段と、さらに備え、前記制御手段は、試しコピー実行中は前記中断制御手段によるジョブ中断入力手段の入力の受け付けを禁止する識別情報を前記状態設定部に設定することを特徴とする。
【００１３】
第４の手段は、第１ないし第３の手段に、さらに、現在実行中のジョブを中断させるジョブ中断入力手段と、このジョブ中断入力手段の入力の可否を決定する中断制御手段とを設け、前記制御手段は、試しコピー実行中は前記中断制御手段によるジョブ中断入力手段による入力の受け付けを禁止する識別情報を前記状態設定部に設定することを特徴とする。この手段によれば、試しコピー実行中の中断キー入力による中断処理を規定し、ミスコピーを防止することができる。
【００１５】
【発明の実施の形態】
以下、図面を参照して本発明の実施の形態について説明する。
図１は本発明に係る画像形成装置の一実施形態を示す構成図、図２は図１の操作部を詳しく示す構成図、図３は図２のＣＲＴ画面を詳しく示す説明図、図４は図１の画像形成装置の操作制御部の構成を示すブロック図、図５は図１の画像形成装置の構成を示すブロック図、図６は図１の画像形成装置の通常コピー時と試しコピー時の処理を説明するためのフローチャート、図７は図６の試しコピー実行可否チェック処理を詳しく説明するためのフローチャート、図８は図６の中断中の試しコピー実行可否チェック処理の第１の例を詳しく説明するためのフローチャート、図９は図６の中断中の試しコピー実行可否チェック処理の第２の例を詳しく説明するためのフローチャート、図１０は図６の試しコピー処理を詳しく説明するためのフローチャート、図１１は図６の試しコピーの中断受け付け処理を詳しく説明するためのフローチャートである。
【００１６】
図１に示す画像形成装置は、複写機本体Ａと、自動原稿給紙装置ＢとソータＣを有し、また、複写機本体Ａには図２に詳しく示すような操作部２００が設けられている。このような構成において、自動原稿給紙装置Ｂにより原稿が自動的に１枚毎に複写機本体Ａのコンタクトガラス１０１上に給紙されて読み取られて転写紙にコピーされ、この転写紙がソータＣのプルーフトレイ又は複数のソート用トレイの１つに選択的に排出される。詳しく説明すると、自動原稿給紙装置Ｂでは原稿載置台１に載置された原稿が原稿給紙ローラ２により取り込まれ、コンタクトガラス１０１上に給紙されて停止する。このとき、原稿載置台１上の原稿は原稿載置センサ３０１により検出される。コンタクトガラス１０１上の原稿は読み取りが終了すると、自動原稿給紙装置Ｂによりコンタクトガラス１０１から排出される。
【００１７】
複写機本体Ａではコンタクトガラス１０１上の原稿が光源１０２により光照射され、原稿の反射光が第１ミラー１０３、２つの第２ミラー１０４、スルーレンズ１０５、３つの第３ミラー１０６を含む光学系を介して感光体ドラム１０７の表面を露光する。感光体ドラム１０７の表面は露光前に予め帯電器１０８により一様に帯電されており、上記の露光により原稿画像の静電潜像が感光体ドラム１０７の表面に形成される。次いで感光体ドラム１０７の表面はイレーサ１０９により不要な電荷が除去され、次いで静電潜像が現像器１１０によりトナーで現像され、次いでこのトナー像が転写チャージャ１１１により転写紙に転写される。転写を終了した感光体ドラム１０７の表面は除電チャージャ１２５により除電された後、クリーニング装置１２６により残存トナーが除去されて次のコピーに備える。
【００１８】
転写紙は給紙トレイ１１２、１１３、１１４、両面トレイ１２４の１つから選択的に給紙されて搬送路１１５に沿って搬送され、レジストローラ１１６により感光体ドラム１０７上のトナー像とタイミングを合わせて感光体ドラム１０７と転写チャージャ１１１の間に搬送されてトナー像が転写される。転写後、この転写紙は分離チャージャ１２０により感光体ドラム１０７から分離される。分離された転写紙は搬送ベルト１１７により搬送され、定着器１１８によりトナー像が定着される。
【００１９】
定着を終了した転写紙は、転写紙の両面にコピーする両面モードでは、表面コピーが終了すると両面切り替え爪１２１が両面トレイ１２４側に切り替わることにより、両面進入路１２３を介して両面トレイ１２４に送られて蓄積される。次いで裏面コピー時には、両面トレイ１２４上の転写紙が反転されて感光体ドラム１０７と転写チャージャ１１１の間に搬送されて上記の工程が再度行われる。両面モードにおける裏面コピー終了後と片面コピーモードには、両面切り替え爪１２１が排出側に切り替わることにより、定着を終了した転写紙がソータＣに排出される。また、裏面コピー時には転写紙は反転部１２２により反転された後にソータＣに排出される。
【００２０】
ソータＣに進入した転写紙は１枚ずつ複数のビン３１２の１つに選択的にスタックされ、置数分の転写紙がビン３１２にスタックされると最初のビン３１２に戻り、これを繰り返すことにより置数分のコピーが完了する。ここで、ソータＣの後処理モードとしては、１枚の原稿からコピーされた転写紙を指定部数分同一のビン３１２へ排出するスタックモードと、１枚の原稿から置数分コピーされた転写紙を各ビン３１２に排出して仕分けるソートモードを有する。排出センサ３００は転写紙が通過中にオンになり、したがって、排出センサ３００がオンからオフになると転写紙がビン３１２に排出されたことを検出することができる。
【００２１】
次に図２を参照して操作部２００について説明する。モードクリアキー２０１は全てのモードを標準状態に戻すために用いられ、このキー２０１の操作によりリピート枚数は１枚に、濃度は自動濃度に、給紙は自動給紙選択に、変倍率は等倍に設定され、両面モード等のその他の機能は全て解除される。割り込みキー２０２はコピー動作中に他のコピーを行うために用いられ、プログラムキー２０３は使用者が頻繁に使用するモードを登録したり、これを呼び出すために用いられる。ガイダンスキー２０４は基本動作や機能を表示するために用いられ、スタートキー２０５はコピー動作を開始させるために用いられる。スタートキー２０５はまた、その入力可否を表示する機能を兼用し、このために一部を半透明に形成してキーの裏側にグリーンとレッドのＬＥＤを配置してコピー可の時にはグリーンのＬＥＤを、コピー不可の時にはレッドのＬＥＤを点灯させる。
【００２２】
クリア／ストップキー２０６は待機中に操作されれば設定コピー枚数をクリアするクリアキーとして動作し、コピー動作中に操作されればコピー動作を中断するストップキー２０６として動作する。テンキー２０７はコピー枚数やズーム倍率、綴じ代等の値を入力するために用いられる。
【００２３】
ＣＲＴ表示部２０８は設定状態や機能説明、操作説明を表示する。ＣＲＴ表示部２０８の表面にはタッチパネルが設けられ、表面を指先でタッチすることにより選択キーとしての機能も有する。図３はＣＲＴ表示部２０８の表示画面の一例を示している。メッセージエリア２４０にはこの装置に関する情報が表示され、例えば「コピーできます」、「コピー中です」等のメッセージが表示される。セット枚数表示エリア２４１にはテンキー２０７により設定されたコピー枚数が表示される。
【００２４】
そして、試しコピーキー２４２をタッチすることにより試しコピーが行われる。このキー２４２は試しコピー不可の時には表示されず、この領域をタッチしても無効となる。濃度調整キー２４３は所望の濃度位置をタッチすることによりコピー濃度を手動で調整することができる。自動濃度キー２４４は原稿の地肌濃度を検出してコピー濃度を自動的に調整する場合に選択される。表示エリア２４５には用紙サイズ、用紙残量、紙種が表示され、また、トレイ選択キーを兼ねている。
【００２５】
自動用紙選択キー２４６が選択された場合には自動的に原稿サイズが検出され、原稿サイズと設定倍率に基づいて算出された最適なサイズの用紙が収容された給紙トレイが選択される。用紙指定変倍キー２４７ａは指定用紙サイズに合うように原稿画像を自動的に拡大、縮小する場合に用いられ、等倍キー２４７ｂは等倍でコピーする場合に用いられる。エリア２４８には倍率が表示される。定型変倍キー２４９は定型サイズに拡大、縮小する場合に用いられ、ズームキー２５０、２５１は寸法変倍キー２５２で寸法変倍が選択されたとき、１％刻みで倍率を指定する場合に用いられる。指定された倍率は倍率表示エリア２４８に表示される。
【００２６】
片面・両面キー２５３は片面原稿を用紙の両面にコピーする場合に用いられ、両面・両面キー２５４は両面原稿を用紙の両面にコピーする場合に用いられる。両面・片面キー２５５は両面原稿を用紙の片面にコピーする場合に用いられる。表面綴じ代寸法表示エリア２５６には表面綴じ代キー２５７により指定された綴じ代寸法が表示され、裏面綴じ代寸法表示エリア２５８には裏面綴じ代キー２５９により指定された綴じ代寸法が表示される。
【００２７】
また、編集機能として外消去キー２６０、内消去キー２６１、センター消去キー２６２が設けられ、コピー原稿に書き込まれたマークを読み取って、それぞれ外消去、内消去、またはセンター消去を実行する。
【００２８】
表表紙キー２６３は原稿の１枚目を表紙専用紙にコピーする場合に用いられ、両表紙キー２６４は原稿の１枚目と最終ページを表紙専用紙にコピーする場合に用いられる。章区切りキー２６５は指定ページの原稿を合紙にコピーする場合に用いられ、ソート機能選択キー２６６とスタック機能選択キー２６７はそれぞれソータＣのソートモードとスタックモードを設定する場合に用いられる。
【００２９】
次に図４を参照して操作制御部について説明する。メイン制御部２８０はこの複写機全体の制御を行い、特に後述する試しコピー機能を制御する。操作制御部のＣＰＵ２８４はメイン制御部２８０との間で光トランシーバ２８３を介してシリアル通信でコマンドをやり取りし、メイン制御部２８０からのコマンドを受け取るとＣＲＴ表示部２０８上に表示する内容を決定し、ＣＧＲＯＭ２８５に予め記憶された多数のビットパターンを選択的に読み出すためのコードをＶＲＡＭ２８１に展開し、読み出したビットパターンをＣＲＴコントローラ２８２を介してＣＲＴ表示部２０８の画面に表示する。
【００３０】
ＶＲＡＭ２８１内のビットパターン展開エリアは幾つかに区切られており、現在表示されている画面とは別の画面のビットパターンを展開することができ、また、ＶＲＡＭ２８１のアドレスを変更することにより画面を一瞬に書き換えることができる。ＣＲＴコントローラ２８２はＣＰＵ２８４、ＣＧＲＯＭ２８５、タッチパネル２１０、ＬＥＤドライバ２８６により駆動されるキーボード２８７、アドレスデコーダ２８８、アドレスラッチ２８９等の間でアドレスやデータをやり取りする。ＣＰＵ２８４はアドレスラッチ２８９、ＲＯＭ２９０、不揮発性ＲＡＭ２９１、システムリセット部２９２を介してアドレスデコーダ２８８等の間でアドレスやデータをやり取りする。
【００３１】
つぎに、図５を参照して複写機本体Ａのメイン制御部２８０について説明すると、複写機本体Ａの制御はＣＰＵ（中央処理装置）１００１を中心として行われる。ＣＰＵ１００１の制御用のプログラムとデータは予めＲＯＭ（リードオンリメモリ）１００２に記憶され、ＲＡＭ（ランダムアクセスメモリ）１００３は中間結果等を記憶するために用いられる。
【００３２】
Ａ／Ｄコンバータ１００５はスキャナのランプ電圧１８２１や、トナー濃度制御用のＰセンサ１８２２の発光電圧および受光電圧や、感光ドラム１０７上の電位を検出する電位センサ３１１の出力や、自動濃度調整（ＡＤＳ）用のセンサ１８１６の出力や、ランプ光量センサ１８１７の出力や、感光ドラム１０７の電位センサ１８１８の出力や、定着器１１８のサーミスタ５０３による電圧等の各種センサ１００６の出力等をディジタル信号に変換する。なお、定着器１１８のサーミスタによる電圧により、定着温度が所定値以下の場合にはコピー動作が禁止される。
【００３３】
ＣＰＵ１００１はまた、ＩＮポート１００７を介してメモリクリア用のＤＩＰスイッチ（ＳＷ）１８２４や人体検知センサ１８２５等の各入力１００８を取り込み、また、ＯＵＴポート１００９を介して各種ソレノイド１８１５、各種ローラ駆動用クラッチ１８１９を制御する。ＣＰＵ１００１は更に、シリアル通信ユニット１８０７を介して図１に示すような操作部２００、自動原稿給紙装置Ｂ（又はＲＤＨ１９０１）、ソータＣ（又はステープル装置１９０２）との間でシリアル通信を行う。
【００３４】
光学系制御ユニット１０１１はスキャナの露光ランプ１０２、スキャナ１８２６、レンズ光軸モータ１８２７、スラストモータ１８２８等を制御する。高圧電源ユニット１０１３は図１に示す電子写真プロセスに必要な帯電チャージャ３０２や、分離チャージャ３０５や、転写チャージャ３０４や、ＰＴＣ（転写前チャージャ）３１２や現像バイアス７１２等の負荷１０１４に電源を供給する。また、モータ制御ユニット１０１５はメインモータ１０１６の制御を行い、ヒータ制御ユニット１０１７は定着器１１８のヒータを制御する。センサ感度ユニット１０２１はランプ光量センサ１８１７や、ＡＤＳセンサ１８１６やＰセンサ３１５の各受光ゲインとＰセンサの発光電圧を制御するために用いられる。なお、符号１０２３はＣＰＵ１００１が参照するタイマユニットである。
【００３５】
次にコピー時の動作を説明する。ユーザが先ず操作部２００を介して倍率、濃度等の条件、コピー枚数を設定し、また、試しコピーキー２４２を押下することなくスタートキー２０５を押下すると設定枚数分のコピーを行う。また、このときソートキー２６６が押下されていれば転写紙をソータＣに排出して１セット原稿に対するセット部数分の転写紙を仕分ける。
【００３６】
これに対し、ユーザが複数枚のコピーを行う前にコピーの出来上がり具合を確認するために、操作部２００を介して倍率、濃度等の条件、コピー枚数を設定した後、試しコピーキー２４２を押下すると、自動原稿給紙装置Ｂからコンタクトガラス１０１上に１枚目の原稿を給紙すると共に、給紙トレイ１１２、１１３又は１１４から１枚の転写紙を給紙して設定条件に従って試しコピーを行う。また、このときソートキー２６６が押下されていれば転写紙をソータＣのプルーフトレイ３１１上に排出する。この場合、プルーフトレイ上には転写紙を上向きで排出することにより、ユーザにとって容易にコピーの出来上がり具合を確認することができる。
【００３７】
試しコピーが終了しても、コンタクトガラス１０１上の１枚目の原稿を排出しない。したがって、ユーザにとってコピーの出来上がり具合が不満であって、コピー条件が変更された後に試しコピーキー２４２が再度押下されると、新しい設定条件に従って試しコピーを行う。他方、ユーザにとってコピーの出来上がり具合が満足であってスタートキー２０５を押下すると設定枚数分のコピーを行う。
【００３８】
次に図６〜図８を参照して通常コピー時と試しコピー時の動作を説明する。先ず、新規ジョブか否かを示すフラグ（fNewJob）を初期化（セット）する（ステップＳ０）。次いでスタートキー２０５が押下された否かを判断し（ステップＳ１）、スタートキー２０５が押下された場合には通常コピーの指示であるので、試しコピーキー２４２の表示を消し、また、スタートキー２０５の赤色ＬＥＤを点灯させてメッセージエリア２４０に「コピー中です」のメッセージを表示する。
【００３９】
次いでコピー処理を開始し（ステップＳ２）、中断キー（クリア／ストップキー）２０６が押下された否かを判断する（ステップＳ３）。そして、中断キー２０６が押下されていない場合にはコピー終了か否かを判断し（ステップＳ４）、コピー終了でない場合にはステップＳ２に戻ってコピー処理を継続し、他方、コピー終了の場合にはステップＳ０に戻って新規ジョブフラグ（fNewJob）を初期化（セット）する。そして、スタートキー２０５の緑色ＬＥＤを点灯させてメッセージエリア２４０に「コピーできます」のメッセージを表示する。
【００４０】
他方、ステップＳ３において中断キー２０６が押下された場合には中断処理を実行し（ステップＳ５）、次いで新規ジョブフラグ（fNewJob）をリセットする（ステップＳ６）。これにより、このジョブは中断ジョブとなり、ステップＳ１に戻ってスタートキー２０５の押下をチェックすることにより、中断ジョブの再開指示を待つ。
【００４１】
ステップＳ１においてスタートキー２０５が押下されていない場合には、試しコピーキー２４２が押下されたか否かを判断し（ステップＳ７）、押下されていない場合にはステップＳ１に戻る。他方、試しコピーキー２４２が押下されると、図７に詳しく示す試しコピー実行可否チェック処理を実行する（ステップＳ８）。
【００４２】
この処理では試しコピーをジョブ中断中にも行う場合、無意味なコピーを行わないようにジョブ実行前の試しコピーの実行の可否をチェックする。すなわち、次の実行コピーは転写紙への無地モードか否かをチェックし（ステップＳ５０）、無地モードの場合には画像確認のための試しコピーは全く意味がないので試しコピー実行可否フラグ（fTrialOk）をリセットし（ステップＳ５１）、無地モードでない場合には試しコピー実行可否フラグ（fTrialOk）をセットする（ステップＳ５２）。
【００４３】
ここで、試しコピーモードが表紙の用紙に画像形成を行わない表紙無地モードの場合を考えると、表裏共に表紙を作成する両表紙モード、又は１ページ目の原稿からコピーを作成する場合には表表紙のみを作成する片（表）表紙モード時に試しコピーを実行すると、１枚の白紙コピーが出力されるのみであるので、画像確認のための試しコピーは全く意味がない。そこで、試しコピーと無意味な組み合わせのモードが設定されている場合には、無駄なマシン動作を防止する。但し、表紙無地モードであっても、ジョブ途中の試しコピーを実行した場合には、表紙無地コピーを行うときでなければ、通常の用紙に画像が形成されて画像確認を行うことができるので、試しコピー実行フラグ（fTrialOk）をセットする。そして、図６に戻って、試しコピー実行可否フラグ（fTrialOk）をチェックし（ステップＳ９）、セットされている場合にはステップＳ１０以下に進み、他方、セットされていない場合にはステップＳ１に戻る。
【００４４】
ステップＳ１０では新規ジョブフラグ（fNewJob）をチェックすることによりコピー中断中か否かをチェックする。そして、コピー中断中の場合、すなわち新規ジョブフラグ（fNewJob）がリセットされている場合には、図８に詳しく示す中断中の試しコピー実行可否チェック処理を実行する（ステップＳ１５）。このチェック処理は、ジョブ中断中に試しコピーを行うと不具合が発生することを防止するためであり、図８は第１の例として、両面モードのコピー中断中の場合のチェック処理（ステップＳ１５ａ）を示している。具体的にはもし両面トレイ１２４上に、中断前に行われていたジョブの片面が画像形成済みの転写紙が存在する状態で、両面モードにおけるジョブ中断中に試しコピーが行われると、両面トレイ１２４上の転写紙が給紙されてミスコピーとなる。
【００４５】
そこで、図８に示す処理では両面印刷モードか否かをチェックし（ステップＳ３０）、両面印刷モードの場合には試しコピー実行可否フラグ（fTrialOk）をリセットし（ステップＳ３１）、両面印刷モードでない場合には試しコピー実行可否フラグ（fTrialOk）をセットする（ステップＳ３２）。
【００４６】
図９は中断中の試しコピー実行可否チェック処理の第２の例（ステップＳ１５ｂ）を示し、この処理では両面コピーのコピー中断中の場合、一義的に試しコピーを禁止するのではなく、ページずれが発生しないときには試しコピーを行うようにしている。すなわち、（１）両面トレイ１２４上に用紙がない場合にはページずれは発生しない（ステップＳ４２→Ｓ４４）。
【００４７】
（２）両面トレイ１２４への用紙スタック（in）と、両面トレイ１２４からの給紙（out）の関係がＦＩＦＯ（First In First Out）であれば、両面トレイ１２４上に用紙がある状態で試しコピーを行うとページずれが発生する（ステップＳ４１→Ｓ４３）。逆に、ＦＩＬＯのときにはページずれは発生しない（ステップＳ４１→Ｓ４４）。
【００４８】
そして、図６に戻って、試しコピー実行可否フラグ（fTrialOk）をチェックし（ステップＳ１６）、セットされている場合にはステップＳ１１に進んで図９に詳しく示す試しコピー処理を実行し、他方、セットされていない場合にはステップＳ１に戻る。ステップＳ１１における試しコピー処理では図９に示すように、指定原稿の給紙処理を実行し（ステップＳ２０）、次いで指定された給紙段から転写紙を給紙し（ステップＳ２１）、次いで作像動作を実行し（ステップＳ２２）、次いでその転写紙を指定排紙トレイに排紙し（ステップＳ２３）、次いで原稿をコンタクトガラスから排出しないで保持し（ステップＳ２４）、次いで図６に示すステップＳ１２に進む。
【００４９】
ステップＳ１２では試しコピーの中断受け付け処理を実行する。この処理の第１の例として次の処理がある。試しコピーとは１枚の転写紙上の画像を確認するためであるが、片面印刷（転写紙の片面のみに画像を形成するモード）の場合に試しコピーを行っても、１枚の転写紙が給紙トレイ１１２、１１３、１１４から給紙されて排出されるだけであるので、試しコピー中にストップキー２０６が押下された場合には一義的に試しコピーの中断を受け付ける。このとき、試しコピーの中断受け付けフラグ（fTrialStop）をセットする。
【００５０】
図１１は第２の例の試しコピーの中断受け付け処理を示している。ここで、前述したように両面印刷モード時には第１面が画像形成済みの転写紙を両面トレイ１２４上に搬送し、次いで再給紙して第２面に画像を形成するので、現在実行中のジョブを中断状態に移行させる中断キー２０５や、現在のジョブを中断して別のジョブを実行させる割り込みキー２０２などの中断手段を一義的に受け付けると、第１面が画像形成済みの転写紙が両面トレイ１２４上に残って不具合が発生する可能性がある。
【００５１】
また、中断後に再度、試しコピーモードに移行した場合には、両面トレイ１２４上に残っている転写紙に試しコピーが行われて排出されるものの、中断後にスタートキー２０５が押下された場合には、両面トレイ１２４上に残っている転写紙が排出されずに通常コピーの転写紙と混在する可能性がある。
【００５２】
そこで、この第２の例では、図１１に示すように試しコピー中にストップキー２０６が押下された場合（ステップＳ６０）、両面印刷モードでないときに（ステップＳ６１）試しコピーの中断受け付けフラグ（fTrialStop）をセットし（ステップＳ６３）、他の場合にはセットしない（ステップＳ６２）。このように試しコピーの中断受け付けを限定することにより、次のような効果もある。例えば片面印刷時に自動原稿給紙装置Ｂにより原稿をコンタクトガラス１０１上に給紙中に試しコピーキー２４２が押下され、次いでストップキー２０６が押下された場合に、転写紙の給紙を行わずに中断することができる。
【００５３】
この処理を終了すると、図６に戻って試しコピーの中断受け付けフラグ（fTrialStop）がセットされているか否かをチェックする（ステップＳ１３）。そして、セットされていない場合には試しコピーが終了するまでステップＳ１１〜Ｓ１４の処理を繰り返し、試しコピーが終了するとステップＳ１１に戻る。このとき、スタートキー２０５の緑色ＬＥＤを点灯させ、メッセージエリア２４０に「コピーできます」を表示する。他方、フラグ（fTrialStop）がセットされている場合には中断処理を実行し（ステップＳ１７）、次いでステップＳ６に戻る。
【００５４】
【発明の効果】
以上説明したように本発明によれば、通常のジョブの処理途中であっても試しコピーを行うことができる。これにより、ジョブ途中でも濃度や綴じ代データを変更した場合や、給紙段が表紙トレイになったときなどに画像確認が容易に行える。また、オペレータの任意のタイミングや状況に応じて適宜試しコピーが行えるので、ミスコピーが減少するとともに、オペレータにとって満足のいく試しコピー処理を行うことができる。
【図面の簡単な説明】
【図１】  本発明に係る画像形成装置の一実施形態を示す構成図である。
【図２】  図１の操作部を詳しく示す構成図である。
【図３】  図２のＣＲＴ画面を詳しく示す説明図である。
【図４】  図１の画像形成装置の操作制御部の構成を示すブロック図である。
【図５】  図１の画像形成装置の構成を示すブロック図である。
【図６】  図１の画像形成装置の通常コピー時と試しコピー時の処理を説明するためのフローチャ
ートである。
【図７】  図６の試しコピー実行可否チェック処理を詳しく説明するためのフローチャートである
。
【図８】  図６の中断中の試しコピー実行可否チェック処理の第１の例を詳しく説明するためのフ
ローチャートである。
【図９】 図６の中断中の試しコピー実行可否チェック処理の第２の例を詳しく説明するためのフローチャートである。
【図１０】  図６の試しコピー処理を詳しく説明するためのフローチャートである。
【図１１】  図６の試しコピーの中断受け付け処理を詳しく説明するためのフローチャートである。
【符号の説明】
２０６  クリア／ストップキー
２４２  試しコピースタートキー
２８０  メイン制御部
【図１】
0003909153.tif 000002
【図２】
0003909153.tif 000003
【図３】
0003909153.tif 000004
【図４】
0003909153.tif 000005
【図５】
0003909153.tif 000006
【図６】
0003909153.tif 000007
【図７】
0003909153.tif 000008
【図８】
0003909153.tif 000009
【図９】
0003909153.tif 000010
【図１０】
0003909153.tif 000011
【図１１】
0003909153.tif 000012